(57)【要約】【課題】建物内への水の浸入を防止・抑制すると共に、雨水の吹き上げによる防水性能を確保することができる水切り構造及び建物を得る。【解決手段】外壁パネル３０の下方側には建物１０内への雨水の浸入を防ぐ水切り部材６８が設けられている。この水切り部材６８にはスポンジゴム体７４が設けられており、スポンジゴム体７４は水切り部材６８と当該水切り部材６８と対向する止水役物６６との隙間７５内に配置されている。これにより、外壁パネル３０の中空部３８内へ案内された雨水は、スポンジゴム体７４に形成された複数の小孔を通じて自重により下方へ向かって排出される。一方、水切り部材６８と止水役物６６との隙間７５にスポンジゴム体７４が設けられることによって、当該隙間７５における通水抵抗は大きくなる。これにより、水切り部材６８の下方から吹き上がる雨水の浸入をスポンジゴム体７４によって防止・抑制することができる。【選択図】図１
2014114670.tif 000002
【特許請求の範囲】
【請求項１】
外壁の一部を構成する外壁パネルの下方側に設けられ、建物内への水の浸入を防ぐ水切り部材と、
前記水切り部材に設けられ、当該水切り部材と対向する壁面との間に形成された隙間に配置されたゴム様弾性体と、
を備え、
前記水切り部材は、
前記外壁パネルの下端面と対向可能に設けられた横壁と、
前記横壁における屋外側端部から前記外壁パネルの外壁面に沿って延出する縦壁と、
を含んで構成され、
前記ゴム様弾性体は、
前記横壁と対向する長尺状の第１ゴム様弾性部と、
前記第１ゴム様弾性部の長手方向に沿って複数配置され、当該第１ゴム様弾性部の長手方向と交差する短手方向を貫通する第１貫通孔と、
前記縦壁と対向し、前記第１ゴム様弾性部との間に隙間を空けて設けられた長尺状の第２ゴム様弾性部と、
前記第２ゴム様弾性部において前記第１貫通孔とは前記建物の高さ方向で重ならない位置に複数配置され、当該第２ゴム様弾性部の長手方向と交差する短手方向を貫通する第２貫通孔と、
を含んで構成された水切り構造。
【請求項２】
前記第２ゴム様弾性部よりも前記縦壁の先端側に前記第２ゴム様弾性部との間に隙間を空けて設けられた第３ゴム様弾性部と、
前記第３ゴム様弾性部において前記第２貫通孔とは前記建物の高さ方向で重ならない位置に複数配置され、当該第３ゴム様弾性部の長手方向と交差する短手方向を貫通する第３貫通孔と、
を有する請求項１に記載の水切り構造。
【請求項３】
バルコニや屋上における防水立上がり壁又は基礎に、請求項１又は請求項２に記載の前記水切り構造が設けられている建物。
【発明の詳細な説明】
【技術分野】
【０００１】
本発明は、建物の外壁に用いられる水切り構造及び当該水切り構造が適用された建物に関する。
【背景技術】
【０００２】
特許文献１には、外壁の一部を構成するサイディング材の裏面側に設けられた見切材（水切り部材）によって、当該サイディング材の裏面側に設けられた空間内を落下する水を建物外へ排出する技術が開示されている。
【０００３】
具体的に説明すると、この見切材には水受け部が設けられており、当該見切材は上下に配置されたサイディング材同士の隙間に配置されている。このため、サイディング材の裏面側の空間を落下する水を水受け部で受けると、当該水受け部上に落下した水は、上下に配置されたサイディング材同士の隙間から建物外へ排出するようになっている。
【０００４】
一方、見切材には、水受け部の上方側の空間を下側に配置されたサイディング材の裏面側の空間と連通させる開口部が形成されている。開口部は、その上方より落下する水を水受け部側へ導くカバーで覆われており、カバーの幅方向の少なくとも一端部には、空気流通経路が形成されている。
【０００５】
この空気流通経路によって、下側に配置されたサイディング材の裏面側の通気性が確保されると共に、開口部の上方より落下する水が、当該開口部を通ってサイディング材の裏面側の空間にまで流れ落ちるのを防ぐことができるというものである。
【先行技術文献】
【特許文献】
【０００６】
【特許文献１】特開２００６−１４４２３６号公報
【発明の概要】
【発明が解決しようとする課題】
【０００７】
しかしながら、この先行技術では、見切材の下端部から雨水が吹き上げてきた場合、雨水の吹き上がり量によっては十分に防水できない可能性がある。
【０００８】
本発明は上記事実を考慮し、建物内への水の浸入を防止・抑制すると共に、雨水の吹き上げによる防水性能を確保することができる水切り構造及び建物を得ることが目的である。
【課題を解決するための手段】
【０００９】
請求項１記載の本発明に係る水切り構造は、外壁の一部を構成する外壁パネルの下方側に設けられ建物内への水の浸入を防ぐ水切り部材と、前記水切り部材に設けられ当該水切り部材と対向する壁面との間に形成された隙間に配置されたゴム様弾性体と、を備え、前記水切り部材は、前記外壁パネルの下端面と対向可能に設けられた横壁と、前記横壁における屋外側端部から前記外壁パネルの外壁面に沿って延出する縦壁と、を含んで構成され、前記ゴム様弾性体は、前記横壁と対向する長尺状の第１ゴム様弾性部と、前記第１ゴム様弾性部の長手方向に沿って複数配置され、当該第１ゴム様弾性部の長手方向と交差する短手方向を貫通する第１貫通孔と、前記縦壁と対向し、前記第１ゴム様弾性部との間に隙間を空けて設けられた長尺状の第２ゴム様弾性部と、前記第２ゴム様弾性部において前記第１貫通孔とは前記建物の高さ方向で重ならない位置に複数配置され、当該第２ゴム様弾性部の長手方向と交差する短手方向を貫通する第２貫通孔と、を含んで構成されている。
【００１０】
請求項１記載の本発明に係る水切り構造では、外壁の一部を構成する外壁パネルの下方側に、建物内への水（雨水）の浸入を防ぐ水切り部材が設けられている。この水切り部材には、ゴム様弾性体が設けられており、ゴム様弾性体は、水切り部材と当該水切り部材と対向する壁面との間に形成された隙間に配置されるようになっている。このため、当該隙間内に何も設けられていない場合と比較して、隙間内における通水抵抗は大きくなる。したがって、水切り部材の下方から吹き上がる雨水の浸入をゴム様弾性体によって防止・抑制することができる。
【００１１】
また、水切り部材は、横壁及び縦壁を含んで構成されており、横壁は外壁パネルの下端面と対向可能に設けられている。また、縦壁は、横壁における屋外側端部から外壁パネルの外壁面に沿って延出している。このため、外壁パネルを伝って横壁上に落下した水は縦壁へ案内され、当該縦壁を通じて建物外へ排出されることになる。
【００１２】
一方、ゴム様弾性体は、長尺状に形成された第１ゴム様弾性部及び第２ゴム様弾性部を含んで構成されている。第１ゴム様弾性部と第２ゴム様弾性部との間には隙間が設けられており、第１ゴム様弾性部は水切り部材の横壁と対向し、第２ゴム様弾性部は水切り部材の縦壁と対向する。
【００１３】
また、第１ゴム様弾性部には、当該第１ゴム様弾性部の長手方向と交差する短手方向を貫通する第１貫通孔が第１ゴム様弾性部の長手方向に沿って複数配置されている。一方、第２ゴム様弾性部には、当該第２ゴム様弾性部の長手方向と交差する短手方向を貫通する第２貫通孔が第２ゴム様弾性部の長手方向に沿って複数配置されており、当該第２貫通孔と第１ゴム様弾性部に形成された第１貫通孔とは、建物の高さ方向で重ならない位置に設けられている。
【００１４】
このため、ゴム様弾性体の上方から流れる雨水は、少なくとも第１ゴム様弾性部に形成された第１貫通孔及び第２ゴム様弾性部に形成された第２貫通孔を通じて下方へ向かって案内され、結果的に建物外へ排出される。一方、ゴム様弾性体の下方から吹き上がる雨水は、第２ゴム様弾性部によって上方への浸入が抑制される。
【００１５】
なお、第２ゴム様弾性部には第２貫通孔が形成されているが、第２貫通孔と第１貫通孔とは、建物の高さ方向で重ならない位置に設けられているため、第２ゴム様弾性部に形成された第２貫通孔を通じて下方から吹き上がった水は、第１ゴム様弾性部によって上方への浸入が防止・抑制される。
【００１６】
ここで、「ゴム様弾性体」とは、熱硬化性又は熱可塑性の弾性体であって、熱硬化性では、ＥＰＤＭゴム、塩素化ゴム、ウレタンゴム、天然ゴム、イソプレンゴムなどが例示され、熱可塑性では、全てのＴＰＥ（熱可塑性エラストマー）が該当し、例えばＴＰＯ（オレフィン系）、ＴＰＳ（スチレン系）などや、ＰＶＣ（塩素化ビニル）であってもよい。そして、この「ゴム様弾性体」には、これらの材質において、気泡のないソリッド状体又は複数の気泡（小孔）のあるスポンジ状体が含まれる。
【００１７】
このため、第１ゴム様弾性部及び第２ゴム様弾性部がソリッド状体の場合、ゴム様弾性体の上方から流れる雨水は、第１貫通孔及び第２貫通孔を通じて下方へ案内される。一方、第１ゴム様弾性部及び第２ゴム様弾性部がスポンジ状体の場合、ゴム様弾性体の上方から流れる雨水は、第１貫通孔及び第２貫通孔以外にも第１ゴム様弾性部及び第２ゴム様弾性部に形成された複数の小孔を通じて下方へ案内される。
【００１８】
請求項２記載の本発明に係る水切り構造は、請求項１に記載の水切り構造において、前記第２ゴム様弾性部よりも前記縦壁の先端側に前記第２ゴム様弾性部との間に隙間を空けて設けられた第３ゴム様弾性部と、前記第３ゴム様弾性部において前記第２貫通孔とは前記建物の高さ方向で重ならない位置に複数配置され、当該第３ゴム様弾性部の長手方向と交差する短手方向を貫通する第３貫通孔と、を有している。
【００１９】
請求項２記載の本発明に係る水切り構造では、第２ゴム様弾性部よりも縦壁の先端側に、当該第２ゴム様弾性部との間に隙間を空けて第３ゴム様弾性部が設けられている。この第３ゴム様弾性部には、当該第３ゴム様弾性部の長手方向と交差する短手方向を貫通する第３貫通孔が第３ゴム様弾性部の長手方向に沿って複数配置されており、当該第３貫通孔と第２ゴム様弾性部に形成された第２貫通孔とは、建物の高さ方向で重ならない位置に設けられている。このため、第３ゴム様弾性部に形成された第３貫通孔を通じて下方から吹き上がった雨水は、第２ゴム様弾性部によって上方への浸入が防止・抑制される。
【００２０】
請求項３記載の本発明に係る建物は、バルコニや屋上における防水立上がり壁又は基礎に、請求項１又は請求項２に記載の前記水切り構造が設けられている。
【００２１】
請求項３記載の本発明に係る建物では、バルコニや屋上における防水立上がり壁又は基礎に水切り構造が設けられているため、当該水切り構造の一部を構成する水切り部材によって、建物内への水の浸入が防止されると共に、水切り部材の下方から吹き上がる雨水の浸入がゴム様弾性体によって防止・抑制される。
【発明の効果】
【００２２】
以上説明したように、請求項１記載の本発明に係る水切り構造は、建物内への雨水の浸入を抑制・防止すると共に、雨水の吹き上げによる防水性能を確保することができる、という優れた効果を有する。
【００２３】
請求項２記載の本発明に係る水切り構造は、雨水の吹き上げによる防水性能を向上させることができる、という優れた効果を有する。
【００２４】
請求項３記載の本発明に係る建物は、建物の長寿命化を図ることができ、ユーザーの経済的負担を軽減することができる、という優れた効果を有する。
【図面の簡単な説明】
【００２５】
【図１】本実施の形態に係る水切り構造が適用されたバルコニの一部を示す断面図である。
【図２】図１の要部が拡大された状態を示す拡大断面図である。
【図３】本実施の形態に係る水切り構造の一部を構成するＥＰＤＭスポンジを示す正面図である。
【図４】建物の一例を示す斜視図である。
【図５】押出し成形セメント板が用いられた外壁パネルを示す斜視断面図である。
【発明を実施するための形態】
【００２６】
以下、図面を用いて、本実施の形態に係る水切り構造について説明する。まず、建物の一例について説明する。
【００２７】
図４に示されるように、例えば、この建物１０は、一階部分１２と、二階部分１４と、三階部分１６と、四階部分１８と、を含んで構成されている。二階部分１４には、キャンチ状のバルコニ２０や出窓２２が設けられており、三階部分１６には、ルーフバルコニ２４が設けられている。また、最上階となる四階部分１８には、ペントハウス２６が設けられており、この四階部分１８の周縁部にはパラペット２８が立設されている。
【００２８】
この建物１０の外壁パネル３０には、例えば押出し成形セメント板（ＥＣＰ）が用いられており、この建物１０では、階層毎に外壁パネル３０が区切られている。一般的に、図５に示されるように、押出し成形セメント板が用いられた外壁パネル３０は、屋外１７側に配置されて意匠面を形成する外壁部３２と、当該外壁部３２に対して平行に配置された内壁部３４と、を含んで構成されている。
【００２９】
外壁部３２と内壁部３４との間には、外壁部３２と内壁部３４とを垂直に繋ぐ複数の連結部３６が所定のピッチで設けられている。つまり、この外壁パネル３０は、その内部において所定のピッチで複数の中空部３８が高さ方向に沿って延在されている。この中空部３８は、上階側の外壁パネル（以下、「上階側外壁パネル」という）３０Ａの中空部３８Ａと下階側の外壁パネル（以下、「下階側外壁パネル」という）３０Ｂの中空部３８Ｂとが、建物高さ方向に連続して互いに連通するように配置されている。
【００３０】
また、上階側外壁パネル３０Ａと下階側外壁パネル３０Ｂとの間には、横目地４０が設けられており、同じ階における外壁パネル３０では、左右に隣接する外壁パネル３０との間に縦目地４２が設けられている。この縦目地４２及び横目地４０には、建物１０の防水性能を確保するため、不定形シール４４がそれぞれ充填されている。しかし、これらの縦目地４２や横目地４０において、いわゆるシール切れを起こした場合、当該縦目地４２や横目地４０を通じて屋内１５側へ水（雨水）が浸入する可能性がある。このような場合、浸入した雨水は、横目地４０に設けられた図示しない止水役物によって下階側外壁パネル３０Ｂの中空部３８Ｂ内へ案内される。
【００３１】
一方、図１に示されるように、室内４６の床フレーム４８の一部を構成する床梁５０には、図示しない連結部材を介してバルコニ２０の床部を支持する床梁（図示省略）が固定されている。この床梁の上には床材５２が設けられており、当該床材５２の上には断熱材５４が設けられている。また、床梁５０には、断面形状がＬ字状を成すブラケット５６がボルト締結されており、ブラケット５６の長手方向の端部にはステイ５６Ａが設けられ、当該ステイ５６Ａによってブラケット５６は補強されている。
【００３２】
また、ブラケット５６には、断面形状が略矩形状を成す支持部材５８が固定されている。この支持部材５８におけるバルコニ２０側には、略矩形状の防水立上がり壁（以下、単に「防水壁」という）６０が設けられており、外壁パネル３０の下方に配置されるようになっている。この防水壁６０の表面及び断熱材５４の上面は、防水シート６２によって覆われている。この防水シート６２上には、図示はしないが束材などを介してデッキなどの床仕上げ材が設けられる。
【００３３】
また、支持部材５８の上端面には、断面形状がＬ字状を成すブラケット６４が固定されている。このブラケット６４の屋外１７側には外壁パネル３０が設けられるが、当該外壁パネル３０の背面には、図示しない止水シールを介して壁面としての止水役物６６がブラケット６４との間に取り付けられている。この止水役物６６によって、屋内１５側への雨水の浸入が防止されると共に、外壁パネル３０の中空部３８内へ案内された雨水が屋外１７側へ排出される。
【００３４】
ここで、止水役物６６は支持部材５８及び防水壁６０の形状に合わせて、断面形状が階段状となるように形成されている。具体的には、外壁パネル３０の背面と対向可能な縦壁６６Ａを備えており、縦壁６６Ａの下端部からは、外壁パネル３０の下端面と対向可能な横壁６６Ｂが延出している。また、横壁６６Ｂの先端部からは、支持部材５８の側面と対向可能な縦壁６６Ｃが延出しており、縦壁６６Ｃの下端部からは、防水壁６０の上端面と対向可能な横壁６６Ｄが延出している。そして、横壁６６Ｄの先端部からは、防水壁６０の側面と対向可能な縦壁６６Ｅが延出している。この縦壁６６Ｅに防水シート６２の端部が貼着される。
【００３５】
（水切り構造の構成）
次に、本実施形態に係る水切り構造の構成について説明する。本実施形態では、壁面としての止水役物６６に水切り部材６８が対向可能に配設されている。この水切り部材６８は断面形状が略逆Ｌ字状を成しており、横壁６６Ｄ及び縦壁６６Ｅにそれぞれ対向可能な横壁６８Ａ及び縦壁６８Ｂを含んで構成されている。
【００３６】
水切り部材６８の横壁６８Ａは、止水役物６６の横壁６６Ｄよりも短くなるように設定されており、当該横壁６８Ａと止水役物６６の縦壁６６Ｃとの間には隙間７０が設けられている。また、水切り部材６８の横壁６８Ａと外壁パネル３０の下端面３１との間には、隙間７１が設けられている。この隙間７１には、建物１０の高さ方向に二つ折りにされた定形シール７２が屋外１７側から装着されており、屋外１７側からの雨水の浸入を防止している。また、水切り部材６８の縦壁６８Ｂは、止水役物６６の縦壁６６Ｅよりも長くなるように設定されており、防水シート６２の端部が外部に露出しないようにされている。
【００３７】
さらに、水切り部材６８には、ゴム様弾性体としてのスポンジゴム体７４が設けられており、止水役物６６及び防水シート６２との間に形成される隙間７５内に配置されるようになっている。スポンジゴム体７４は、第１ゴム様弾性部としてのスポンジゴム７６と、第２ゴム様弾性部としての第２スポンジゴム７８と、第３ゴム様弾性部としての第３スポンジゴム８０と、を含んで構成されている。
【００３８】
図３には、図２に示す矢印Ａ方向から見たスポンジゴム体７４が図示されている。図３に示されるように、これらのスポンジゴム７６、７８、８０は略同一の密度で形成され、水切り部材６８の長手方向に沿って設けられた長尺状を成している。また、スポンジゴム７６、７８、８０は隙間を設けた状態で互いに略平行となるように配置されている。スポンジゴム７６は水切り部材６８の横壁６８Ａに設けられており、スポンジゴム７８、８０はそれぞれ水切り部材６８の縦壁６８Ｂ（図２参照）に設けられ、スポンジゴム８０は縦壁６８Ｂの先端部に配置されている。
【００３９】
また、スポンジゴム７６、７８、８０には、それぞれ第１貫通孔としての貫通孔７６Ａ、第２貫通孔としての貫通孔７８Ａ、第３貫通孔としての貫通孔８０Ａが、当該スポンジゴム７６、７８、８０の長手方向に沿って複数配置されている。これらの貫通孔７６Ａ、７８Ａ、８０Ａは、それぞれスポンジゴム７６、７８、８０の長手方向と交差（略直交）する短手方向を貫通しており、当該貫通孔７６Ａ、７８Ａ、８０Ａによってスポンジゴム７６、７８、８０はそれぞれ分断されている。また、貫通孔７８Ａは貫通孔７６Ａ、８０Ａの幅よりも狭くなるように設定されており、貫通孔７６Ａと貫通孔８０Ａの幅は略同じとなるように設定されている。
【００４０】
さらに、貫通孔７６Ａと貫通孔７８Ａとは、建物１０の高さ方向で位置がずれるように設定されており、貫通孔７８Ａと貫通孔８０Ａとは、建物１０の高さ方向で位置がずれるように設定されている。なお、貫通孔７６Ａと貫通孔８０Ａとは、建物１０の高さ方向で略同じ位置に形成されても良い。
【００４１】
（水切り構造の作用・効果）
図１及び図２に示されるように、外壁１１の一部を構成する外壁パネル３０の下方側には、建物１０内への雨水の浸入を防ぐ水切り部材６８が設けられている。この水切り部材６８にはスポンジゴム体７４が設けられており、当該スポンジゴム体７４は、水切り部材６８と当該水切り部材６８と対向する止水役物６６との間に形成された隙間７５内に配置されている。
【００４２】
ここで、水切り部材６８は、横壁６８Ａ及び縦壁６８Ｂを含んで構成されており、横壁６８Ａは外壁パネル３０の下端面３１と対向可能に設けられている。また、縦壁６８Ｂは横壁６８Ａにおける屋外１７側端部から屈曲し、外壁パネル３０の外壁面３３に沿って延出している。このため、外壁パネル３０の外壁面３３を伝って横壁６６Ｂ上に落下した水は縦壁６８Ｂへ案内され、当該縦壁６８Ｂを通じて建物１０外（なお、厳密にはバルコニ２０の床部であり、以下も同様である）へ排出されることになる。
【００４３】
また、上述のように、水切り部材６８と止水役物６６と間の隙間７５内にスポンジゴム体７４が設けられることによって、外壁パネル３０の中空部３８内へ案内された雨水は、スポンジゴム体７４に形成された複数の小孔（図示省略）を通じて自重により下方へ向かって排出される。
【００４４】
一方、水切り部材６８と止水役物６６との隙間７５内にスポンジゴム体７４が設けられることによって、当該隙間７５内に何も設けられていない場合と比較して、隙間７５内における通水抵抗は大きくなる。したがって、水切り部材６８の下方から吹き上がる雨水の浸入をスポンジゴム体７４によって防止・抑制することができる。
【００４５】
以上の内容を具体的に説明すると、図３に示されるように、スポンジゴム体７４は、スポンジゴム７６、７８、８０を含んで構成されている。スポンジゴム７６、７８、８０は、それぞれ水切り部材６８の長手方向に沿って設けられた長尺状を成しており、互いに隙間を設けた状態で略平行となるように配置されている。そして、スポンジゴム７６は水切り部材６８の横壁６８Ａと対向し、スポンジゴム７８、８０は水切り部材６８の縦壁６８Ｂと対向している。
【００４６】
また、スポンジゴム７６における長手方向に沿って貫通孔７６Ａが複数設けられており、スポンジゴム７８における長手方向に沿って貫通孔７８Ａが複数設けられている。この貫通孔７８Ａと貫通孔７６Ａとは、建物１０の高さ方向で重ならない位置に配置されている。
【００４７】
このため、図２及び図３に示されるように、スポンジゴム体７４を流れる雨水は、スポンジゴム７６、スポンジゴム７８及びスポンジゴム８０を通じて自重によって建物１０外へ排出される。すなわち、雨水がスポンジゴム７６に到達すると、当該雨水は貫通孔７６Ａ及びスポンジゴム７６に形成された複数の小孔（図示省略）を経てスポンジゴム７８側へ流れる。次に、スポンジゴム７８に到達した雨水は、貫通孔７８Ａ及びスポンジゴム７８に形成された複数の小孔（図示省略）を経て、雨水はスポンジゴム８０側へ流れる。そして、スポンジゴム８０に到達した雨水は、貫通孔８０Ａ及びスポンジゴム８０に形成された複数の小孔（図示省略）を経て、建物１０外へ排出される。
【００４８】
このように、スポンジゴム７６、７８、８０に貫通孔７６Ａ、７８Ａ、８０Ａがそれぞれ形成されることで、当該貫通孔７６Ａ、７８Ａ、８０Ａが形成されていない場合と比較してスポンジゴム体７４を流れる雨水を建物１０外へ排出し易くしている。また、スポンジゴム７６、８０にそれぞれ形成された貫通孔７６Ａ、８０Ａが建物１０の高さ方向で略同じ位置に配置されることで、当該貫通孔７６Ａ、８０Ａが建物１０の高さ方向でズレた位置に配置された場合と比較して、スポンジゴム体７４における通水抵抗を小さくすることができる。このため、スポンジゴム体７４を流れる雨水がさらに建物１０外へ排出され易くなる。
【００４９】
一方、水切り部材６８の下方から吹き上がる雨水は、スポンジゴム８０によって上方への浸入が抑制されるが、貫通孔８０Ａを通過した雨水は、スポンジゴム７８によって上方への浸入が抑制される。
【００５０】
ここで、スポンジゴム７６とスポンジゴム７８の間、及びスポンジゴム７８及びスポンジゴム８０間にはそれぞれ隙間が設けられているため、水切り部材６８（スポンジゴム体７４）の下方から吹き上がる雨水が上方に位置するスポンジゴムに到達するには、所定の吹き上げ力（矢印Ｂ）が必要となるため上方への浸入がさらに抑制される。上述のように、水切り部材６８と止水役物６６と間の隙間７５内にスポンジゴム体７４が設けられることによって、当該隙間７５内に何も設けられていない場合と比較して、通水抵抗は大きくなる。このため、雨天時において、隙間７０、７１には雨水が若干溜まり易くなるが、これによって、スポンジゴム体７４には水圧が掛かり、当該スポンジゴム体７４の下方から吹き上がる水は上方への浸入がさらに抑制されることになる。
【００５１】
すなわち、本実施形態では、建物１０内への水の浸入を抑制・防止すると共に、雨水の吹き上げによる防水性能を確保することができる。
【００５２】
（その他の実施形態）
本実施形態では、図３に示されるスポンジゴム体７４において、スポンジゴム７６、７８、８０は略同一の密度で形成されている。しかし、スポンジゴム体７４内を通過する雨水の排出とスポンジゴム体７４の下からの吹き上がりの抑制とのバランスを維持することができれば良いため、スポンジゴム７６、７８、８０の密度は必ずしも同じである必要はない。また、スポンジゴム体７４において、３つのスポンジゴム７６、７８、８０を用いたが、スポンジゴムは２つであっても良い。
【００５３】
また、本実施形態では、スポンジゴム７６、７８、８０は、水切り部材６８の長手方向に沿って設けられた長尺状を成しており、互いに隙間を設けた状態で略平行となるように配置されている。しかし、これらのスポンジゴム７６、７８、８０は、必ずしも互い平行となるように配置させる必要はなく、また、矩形状である必要はない。例えば、図示はしないが、スポンジゴムに形成され隣接する貫通孔と貫通孔の間に位置する本体部の長手方向に沿った中央部を頂部とする傾斜面や円弧面が形成された形状としても良い。
【００５４】
さらに、本実施形態では、ゴム様弾性体として気泡（小孔）が設けられたスポンジ状体のスポンジゴム体７４を例示して説明したが、気泡のないソリッド状体のゴム様弾性体であっても良い。前述のように、ゴム様弾性体がスポンジ状体の場合、スポンジゴム体７４の上方から流れる雨水は、スポンジゴム７６、７８、８０にそれぞれ形成された貫通孔７６Ａ、７８Ａ、８０Ａ以外にも当該スポンジゴム７６、７８、８０に形成された複数の小孔を通じて下方へ案内される。しかし、ゴム様弾性体がソリッド状体の場合、図３を用いて説明すると、スポンジゴム体７４（なお、ここでの材質はソリッド状体）の上方から流れる雨水は、スポンジゴム７６、７８、８０（なお、ここでの材質はソリッド状体）にそれぞれ形成された貫通孔７６Ａ、７８Ａ、８０Ａを通じて下方へ案内されることになる。
【００５５】
また、本実施形態では、図１に示すバルコニ２０の防水壁６０に水切り構造が適用された例について説明したが、当該水切り構造はバルコニ２０の防水壁６０への適用に限るものではない。例えば、屋上に設けられたパラペット２８（図４参照）の立上がり部に適用されても良いし、基礎８２（図４参照）に適用されても良い。これにより、建物１０の長寿命化を図ることができ、ユーザーの経済的負担を軽減することができる。なお、適用される場所によっては、止水役物６６は必ずしも必要ではない。
【００５６】
また、本実施形態では、建物１０の外壁パネル３０として押出し成形セメント板が用いられた例について説明したが、外壁は必ずしも押出し成形セメント板で形成されなくても良い。
【００５７】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００５８】
１０      建物
１１      外壁
１５      屋内
１７      屋外
２０      バルコニ
２４      ルーフバルコニ
２８      パラペット（防水立上がり壁）
３０      外壁パネル
３１      下端面
３３      外壁面
６０      防水壁（壁面、防水立上がり壁）
６６      止水役物（壁面）
６８      水切り部材
６８Ａ    横壁
６８Ｂ    縦壁
７４      スポンジゴム体（ゴム様弾性体）
７５      隙間
７６      スポンジゴム（第１ゴム様弾性部、ゴム様弾性体）
７６Ａ    貫通孔（第１貫通孔）
７８      スポンジゴム（第２ゴム様弾性部、ゴム様弾性体）
７８Ａ    貫通孔（第２貫通孔）
８０      スポンジゴム（第３ゴム様弾性部、ゴム様弾性体）
８０Ａ    貫通孔（第３貫通孔）
８２      基礎
【図１】
2014114670.tif 000003
【図２】
2014114670.tif 000004
【図３】
2014114670.tif 000005
【図４】
2014114670.tif 000006
【図５】
2014114670.tif 000007